(57)【特許請求の範囲】
【請求項１】
第１の穴部が形成された第１の導体部と、
前記第１の穴部内に取り付けられた節部と、
前記節部を取り付け可能な第２の穴部を具備する第２の導体部とを有し、
前記第２の導体部は、前記第２の穴部に前記節部が取り付けられることにより前記節部を介して前記第１の導体部と電気的に接続され、前記第２の穴部に沿って移動可能で、かつ、前記節部を中心に回転可能に構成されているアンテナ部材。
【発明の詳細な説明】
【技術分野】
【０００１】
本発明は、非接触型情報記録媒体や非接触型情報記録媒体に対して情報の書き込みや読み出しを行う情報書込／読出装置に用いられるアンテナ部材に関し、特に、通信特性の可変技術に関する。
【背景技術】
【０００２】
昨今、情報化社会の進展に伴って、商品等に貼付されるタグやラベルに情報を記録し、このタグやラベルを用いての商品等の管理が行われている。このようなタグやラベルを用いた情報管理においては、タグやラベルに対して非接触状態にて情報の書き込みや読み出しを行うことが可能なＩＣチップが搭載された非接触型ＩＣタグや非接触型ＩＣラベルがその優れた利便性から急速な普及が進みつつある。
【０００３】
非接触状態にて情報の書き込みや読み出しが可能な非接触型ＩＣタグや非接触型ＩＣラベルにおいては、近年、小型化及び通信可能距離を確保するために、マイクロ波帯を利用して通信を行う微細なＩＣチップが用いられることが多くなってきている。
【０００４】
このような微細なＩＣチップを用いた場合、ＩＣチップに導電性のアンテナを接続することにより、ＩＣチップに対して情報の書き込みや読み出しが行われることになる。
【０００５】
図９は、マイクロ波帯を利用して通信を行うＩＣチップが搭載された非接触型ＩＣタグの一例を示す図である。
【０００６】
本構成例は図９に示すように、樹脂や紙等からなるベース基材３３０上に、互いに直列に並ぶように所定の間隔を有して形成された２つの帯状の導体部３２０ａ，３２０ｂからなるアンテナ部３２０が形成されており、この２つの導体部３２０ａ，３２０ｂの一端にそれぞれ設けられた給電点に接続されるように、非接触状態にて情報の書き込み及び読み出しが可能なＩＣチップ３１０が搭載されて構成されている。
【０００７】
上記のように構成された非接触型ＩＣタグ３００においては、外部に設けられた情報書込／読出装置（不図示）に近接させることにより、情報書込／読出装置からの電波に共振してアンテナ部３２０に電流が流れ、この電流がＩＣチップ３１０に供給され、それにより、非接触状態において、情報書込／読出装置からＩＣチップ３１０に情報が書き込まれたり、ＩＣチップ３１０に書き込まれた情報が情報書込／読出装置にて読み出されたりする。このような非接触型ＩＣタグ３００においては、ＩＣチップ３１０に対しての情報の書き込み及び読み出しが可能な距離を確保するためにアンテナ部３２０におけるインピーダンスや共振点、指向性等の周波数特性を調整する必要がある。
【０００８】
そこで、アンテナ部にライン状のインピーダンス調整用パターンを接続し、このインピーダンス調整用パターンを途中で切断してその長さを変えることによりアンテナ部全体の長さを変え、それにより、ＩＣチップとアンテナ部とのインピーダンス整合をとる技術が考えられている（例えば、特許文献１参照。）。
【０００９】
また、従来より、三角形からなる２つの導体が、その頂点が空隙を介して互いに対向するように配置されてなるボウタイアンテナが利用されている。
【００１０】
図１０は、一般的なボウタイアンテナを有する非接触型ＩＣタグの一例を示す図であり、（ａ）は上面図、（ｂ）は（ａ）に示したＡ−Ａ’断面図である。
【００１１】
本構成例は図１０に示すように、樹脂や紙等からなるベース基材４３０上に、二等辺三角形の形状を有する２つの導体部４２０ａ，４２０ｂが、二等辺三角形の等しい辺がなす頂点どうしを結んだ直線が二等辺三角形の底辺のそれぞれに対して垂直となるように、かつ、頂点どうしが空隙を有するように配置されてなるアンテナ部４２０が形成されており、この２つの導体部４２０ａ，４２０ｂに接続されるように、非接触状態にて情報の書き込み及び読み出しが可能なＩＣチップ４１０が搭載されて構成されている。
【００１２】
上記のように構成された非接触型ＩＣタグ４００においては、アンテナ部４２０について、Ｂ−Ｂ’間とＣ−Ｃ’間とで長さが互いに異なり、かつ、その長さがＢ−Ｂ’間からＣ−Ｃ’間に渡って無段階に変化しているため、アンテナ部４２０の共振点が、Ｂ−Ｂ’間の長さに基づく共振点からＣ−Ｃ’間の長さに基づく共振点まで設定可能となる。このように、ボウタイアンテナを用いて広帯域なアンテナを実現する技術が考えられている（例えば、特許文献２参照。）。
【特許文献１】特開２００４−１０４３４４号公報
【特許文献２】特開２００２−１３５０３７号公報
【発明の開示】
【発明が解決しようとする課題】
【００１３】
しかしながら、アンテナ部にインピーダンス調整用パターンを接続し、このインピーダンス調整用パターンを途中で切断してその長さを変えることにより、ＩＣチップとアンテナ部とのインピーダンス整合をとる技術においては、ＩＣチップとアンテナ部とのインピーダンス整合をとる場合、インピーダンス調整用パターンを切断することになるため、インピーダンス調整用パターンを切断するための切断部材が必要となり、インピーダンス整合を容易に行うことができるとは言いがたい。
【００１４】
また、図１０に示したようなボウタイアンテナにおいては、広帯域なアンテナが実現されるものの、広帯域なものだけに周波数特性がなだらかなものとなり、所望の周波数特性に対してのみ考えると指向性等の面で好ましいとは言いがたい。
【００１５】
本発明は、上述したような従来の技術が有する問題点に鑑みてなされたものであって、周波数特性を容易に変更することができるアンテナ部材を提供することを目的とする。
【課題を解決するための手段】
【００１６】
上記目的を達成するために本発明は、
第１の穴部が形成された第１の導体部と、
前記第１の穴部内に取り付けられた節部と、
前記節部を取り付け可能な第２の穴部を具備する第２の導体部とを有し、
前記第２の導体部は、前記第２の穴部に前記節部が取り付けられることにより前記節部を介して前記第１の導体部と電気的に接続され、前記第２の穴部に沿って移動可能で、かつ、前記節部を中心に回転可能に構成されている。
【００１７】
上記のように構成された本発明においては、節部を介して電気的に接続された第１の導体部と第２の導体部とによってアンテナ部材の周波数特性が決まるが、第２の導体部を、節部が取り付けられた第２の穴部に沿って移動させたり、節部を中心に回転させたりすることにより、第１の導体部と第２の導体部とからなるアンテナ形状を変化させれば、アンテナ部材の周波数特性を所望のものに設定することができる。
【発明の効果】
【００１８】
以上説明したように本発明においては、第１の穴部が形成された第１の導体部と、第１の穴部内に取り付けられた節部と、節部を取り付け可能な第２の穴部を具備する第２の導体部とを有し、第２の導体部が、第２の穴部に節部が取り付けられることにより節部を介して第１の導体部と電気的に接続され、第２の穴部に沿って移動可能で、かつ、節部を中心に回転可能に構成されているため、周波数特性を変更する場合は、第２の導体部を、節部が取り付けられた第２の穴部に沿って移動させたり、節部を中心に回転させたりするだけで済み、周波数特性を容易に変更することができる。
【発明を実施するための最良の形態】
【００１９】
以下に、本発明の実施の形態について図面を参照して説明する。
【００２０】
図１は、本発明のアンテナ部材の実施の一形態を示す図であり、（ａ）は上面図、（ｂ）は（ａ）に示したＡ−Ａ’断面図、（ｃ）は（ａ）に示したフィルム基材１３１ａ，１３１ｂをビス１３３ａ，１３３ｂとともに取り除いた状態における上面図である。
【００２１】
本形態は図１に示すように、樹脂や紙等からなるベース基材１３０上に、互いに直列に並ぶように所定の間隔を有して形成された第１の導体部である２つの帯状の導体部１２０ａ，１２０ｂからなるメインアンテナ部１２０が形成され、また、サブアンテナ部１２１を構成する第２の導体部である帯状の導体部１２１ａ，１２１ｂがそれぞれ形成されたフィルム基材１３１ａ，１３１ｂが節部であるビス１３３ａ，１３３ｂによってベース基材１３０に取り付けられて構成されている。なお、導体部１２１ａ，１２１ｂは、フィルム基材１３１ａ，１３１ｂのベース基材１３０と対向する面とは反対側の面に形成されている。
【００２２】
ベース基材１３０には、導体部１２０ａ，１２０ｂが形成された領域に、導体部１２０ａ，１２０ｂの内部にて表裏貫通した穴部１３４ａ，１３４ｂがそれぞれ設けられており、この穴部１３４ａ，１３４ｂにビス１３３ａ，１３３ｂが穴部１３４ａ，１３４ｂ内を移動可能に取り付けられている。
【００２３】
フィルム基材１３１ａ，１３１ｂにはそれぞれ、導体部１２１ａ，１２１ｂが形成された領域に、導体部１２１ａ，１２１ｂの内部にて表裏貫通した穴部１３２ａ，１３２ｂがそれぞれ設けられており、この穴部１３２ａ，１３２ｂに、ベース基材１３０の穴部１３４ａ，１３４ｂに取り付けられたビス１３３ａ，１３３ｂが取り付けられている。
【００２４】
ビス１３３ａ，１３３ｂは、導電性材料からなり、穴部１３２ａ，１３２ｂ，１３４ａ，１３４ｂに取り付けられた場合に、導体部１２０ａ，１２０ｂ，１２１ａ，１２１ｂと接するような形状を有し、ベース基材１３０の裏面側にてナット等（不図示）にて締め付け可能となっている。
【００２５】
このように、ベース基材１３０上にフィルム基材１３１ａ，１３１ｂがビス１３３ａ，１３３ｂによって取り付けられ、その状態にてビス１３３ａ，１３３ｂがそれぞれ導体部１２０ａ，１２０ｂ，１２１ａ，１２１ｂと接することにより、ベース基材１３０上に形成された導体部１２０ａ，１２０ｂと、フィルム基材１３１ａ，１３１ｂ上に形成された導体部１２１ａ，１２１ｂとがそれぞれビス１３３ａ，１３３ｂを介して電気的に接続された状態となっている。また、ビス１３３ａ，１３３ｂを緩めることにより、導体部１２１ａ，１２１ｂはフィルム基材１３１ａ，１３１ｂとともに穴部１３４ａ，１３４ｂまたは穴部１３２ａ，１３２ｂに沿って移動可能であり、また、ビス１３３ａ，１３３ｂを中心に回転可能となっている。
【００２６】
上記のように構成されたアンテナ部材１０１は、ビス１３３ａ，１３３ｂを緩め、フィルム基材１３１ａ，１３１ｂをビス１３３ａ，１３３ｂとともに穴部１３４ａ，１３４ｂに沿って移動させることにより、メインアンテナ部１２０とサブアンテナ部１２１とからなるアンテナ全体の長さを変えることができるとともに、導体部１２１ａ，１２１ｂをフィルム基材１３１ａ，１３１ｂとともにビス１３３ａ，１３３ｂを中心として回転させることにより、導体部１２０ａ，１２０ｂに対する導体部１２１ａ，１２１ｂの角度を変えることができる。さらに、導体部１２１ａ，１２１ｂをフィルム基材１３１ａ，１３１ｂとともに穴部１３２ａ，１３２ｂに沿って移動させることにより、メインアンテナ部１２０とサブアンテナ部１２１とからなるアンテナ全体の長さや形状を変えることができる。
【００２７】
以下に、上述したアンテナ部材１０１の使用例を説明する。
【００２８】
図２は、図１に示したアンテナ部材１０１を用いた非接触型ＩＣタグを示す図であり、（ａ）は上面図、（ｂ）は（ａ）に示したＡ−Ａ’断面図である。
【００２９】
本形態における非接触型ＩＣタグ１００は図２に示すように、図１に示したアンテナ部材１０１の導体部１２０ａ，１２０ｂの一端にそれぞれ設けられた給電点に接続されるように、非接触状態にて情報の書き込み及び読み出しが可能なＩＣチップ１１０が搭載されて構成されている。
【００３０】
上記のように構成された非接触型ＩＣタグ１００においては、外部に設けられた情報書込／読出装置（不図示）に近接させることにより、情報書込／読出装置からの電波に共振してメインアンテナ部１２０及びサブアンテナ部１２１に電流が流れ、この電流がＩＣチップ１１０に供給され、それにより、非接触状態において、情報書込／読出装置からＩＣチップ１１０に情報が書き込まれたり、ＩＣチップ１１０に書き込まれた情報が情報書込／読出装置にて読み出されたりする。
【００３１】
以下に、上述した非接触型ＩＣタグ１００の周波数特性の調整方法について説明する。
【００３２】
図３は、図２に示した非接触型ＩＣタグ１００の周波数特性の調整方法の一例を説明するための図である。
【００３３】
上述したように、ベース基材１３０の導体部１２０ａ，１２０ｂが形成された領域に設けられた穴部１３４ａ，１３４ｂには、フィルム基材１３１ａ，１３１ｂに設けられた穴部１３２ａ，１３２ｂにそれぞれ取り付けられたビス１３３ａ，１３３ｂが穴部１３４ａ，１３４ｂ内を移動可能に取り付けられているため、ビス１３３ａ，１３３ｂを緩め、フィルム基材１３１ａ，１３１ｂをビス１３３ａ，１３３ｂとともに穴部１３４ａ，１３４ｂ内を移動させることにより、メインアンテナ部１２０とサブアンテナ部１２１とからなるアンテナ全体の長さを変えることができる。
【００３４】
図３（ａ）に示したものは、メインアンテナ部１２０を構成する導体部１２０ａ，１２０ｂとサブアンテナ部１２１を構成する導体部１２１ａ,１２１ｂとからなるアンテナ部全体の長さがαとなっている。一方、図３（ｂ）に示したものは、メインアンテナ部１２０を構成する導体部１２０ａ，１２０ｂとサブアンテナ部１２１を構成する導体部１２１ａ,１２１ｂとからなるアンテナ部全体の長さがαとは異なるβとなっている。
【００３５】
このように、メインアンテナ部１２０を構成する導体部１２０ａ，１２０ｂとサブアンテナ部１２１を構成する導体部１２１ａ,１２１ｂとからなるアンテナ部全体の長さが互いに異なる図３（ａ）に示した場合のアンテナ部材１０１と図３（ｂ）に示した場合のアンテナ部材１０１とでは、共振点や放射パターンが異なり周波数特性が互いに異なるものとなる。
【００３６】
図４は、図２に示した非接触型ＩＣタグ１００の周波数特性の調整方法の一例を説明するための図である。
【００３７】
上述したように、導体部１２１ａ，１２１ｂがそれぞれ形成されたフィルム基材１３１ａ，１３１ｂは、ビス１３３ａ，１３３ｂによってベース基材１３０に回転可能に取り付けられているため、ビス１３３ａ，１３３ｂを緩め、導体部１２１ａ，１２１ｂをフィルム基材１３１ａ，１３１ｂとともにビス１３３ａ，１３３ｂを中心として回転させることにより、導体部１２０ａ，１２０ｂに対する導体部１２１ａ，１２１ｂの角度を変えることができる。
【００３８】
図４（ａ）に示したものは、メインアンテナ部１２０を構成する導体部１２０ａ，１２０ｂとサブアンテナ部１２１を構成する導体部１２１ａ,１２１ｂとのなす角度がαとなっている。一方、図４（ｂ）に示したものは、メインアンテナ部１２０を構成する導体部１２０ａ，１２０ｂとサブアンテナ部１２１を構成する導体部１２１ａ,１２１ｂとのなす角度がαとは異なるβとなっている。
【００３９】
このように、メインアンテナ部１２０を構成する導体部１２０ａ，１２０ｂとサブアンテナ部１２１を構成する導体部１２１ａ,１２１ｂとのなす角度が互いに異なる図４（ａ）に示した場合のアンテナ部材１０１と図４（ｂ）に示した場合のアンテナ部材１０１とでは、放射パターンが異なり周波数特性が互いに異なるものとなる。
【００４０】
図５は、図２に示した非接触型ＩＣタグ１００の周波数特性の調整方法の一例を説明するための図である。
【００４１】
上述したように、導体部１２１ａ，１２１ｂがそれぞれ形成されたフィルム基材１３１ａ，１３１ｂは、ビス１３３ａ，１３３ｂによってベース基材１３０に取り付けられ、フィルム基材１３１ａ，１３１ｂに設けられた穴部１３２ａ，１３２ｂに沿って移動可能に構成されているため、ビス１３３ａ，１３３ｂを緩め、導体部１２１ａ，１２１ｂをフィルム基材１３１ａ，１３１ｂとともに穴部１３２ａ，１３２ｂに沿って移動させることにより、メインアンテナ部１２０とサブアンテナ部１２１とからなるアンテナの形状を変えることができる。
【００４２】
図５（ａ）に示したものは、サブアンテナ部１２１を構成する導体部１２１ａ,１２１ｂがそれぞれその端部にてビス１３３ａ，１３３ｂを介してメインアンテナ部１２０を構成する導体部１２０ａ，１２０ｂと接続されている。一方、図５（ｂ）に示したものは、サブアンテナ部１２１を構成する導体部１２１ａ,１２１ｂがそれぞれその中央部分にてビス１３３ａ，１３３ｂを介してメインアンテナ部１２０を構成する導体部１２０ａ，１２０ｂと接続されている。
【００４３】
このように、メインアンテナ部１２０を構成する導体部１２０ａ，１２０ｂとサブアンテナ部１２１を構成する導体部１２１ａ,１２１ｂとからなるアンテナ部の形状が互いに異なる図５（ａ）に示した場合のアンテナ部材１０１と図５（ｂ）に示した場合のアンテナ部材１０１とでは、共振点や放射パターンが異なり周波数特性が互いに異なるものとなる。
【００４４】
非接触型ＩＣタグ１００の周波数特性は、メインアンテナ部１２０とサブアンテナ部１２１とによって決まる。すなわち、メインアンテナ部１２０とサブアンテナ部１２１とからなるアンテナ部分の長さや形状によって周波数特性が変化することになる。
【００４５】
そこで、上述した図３〜図５に示した調整方法を適宜組み合わせて、フィルム基材１３１ａ，１３１ｂをベース基材１３０に対して、移動、回転させることにより、メインアンテナ部１２０とサブアンテナ部１２１とからなるアンテナ部分の形状を、アンテナ部材１０１の周波数特性が所望のものとなるように設定することにより、非接触型ＩＣタグ１００が所望の周波数特性を有して通信可能な状態となる。なお、上記調整後はビス１３３ａ，１３３ｂを締め付けてフィルム基材１３１ａ，１３１ｂをベース基材１３０に固定することになる。
【００４６】
上述したように、図１に示したアンテナ部材１０１は、非接触状態にて情報の書き込みや読み出しが可能な非接触型ＩＣタグ１００や非接触型ＩＣラベル、あるいは非接触型ＩＣといった非接触型情報記録媒体に用いることができるが、これら非接触型情報記録媒体に対して情報の書き込みや読み出しを行う情報書込／読出装置にも用いることができる。
【００４７】
図６は、図１に示したアンテナ部材１０１を用いた情報書込／読出装置を示す図である。
【００４８】
本形態における情報書込／読出装置１５０は図６に示すように、図１に示したアンテナ部材１０１の導体部１２０ａ，１２０ｂの一端にそれぞれ設けられた給電点に、周波数発振器（不図示）を含む情報書込／読出回路１５１が接続されて構成されている。
【００４９】
上記のように構成された情報書込／読出装置１５０においては、図２に示したような非接触型ＩＣタグ１００を翳すと、情報書込／読出装置１５０のアンテナ部材１０１と非接触型ＩＣタグ１００のアンテナ部材１０１とが共振し、非接触型ＩＣタグ１００のメインアンテナ部１２０及びサブアンテナ部１２１に電流が流れ、この電流がＩＣチップ１１０に供給され、それにより、非接触状態において、情報書込／読出装置１５０からＩＣチップ１１０に情報が書き込まれたり、ＩＣチップ１１０に書き込まれた情報が情報書込／読出装置１５０にて読み出されたりする。
【００５０】
なお、本形態においては、２つの導体部１２０ａ，１２０ｂが互いに直列に並ぶように所定の間隔を有して形成されてなるダイポールアンテナ状のメインアンテナ部１２０を有し、この導体部１２０ａ，１２０ｂにそれぞれ接続されるようにサブアンテナ部１２１を構成する２つの導体部１２１ａ，１２１ｂがフィルム基材１３１ａ，１３１ｂにそれぞれ形成された構成を例に挙げて説明したが、１つの導体部からなるモノポールアンテナをメインアンテナ部とし、このメインアンテナ部を構成する１つの導体部にビスを介して１つの導体部を接続したものも考えられる。
【００５１】
（他の実施の形態）
図７は、本発明のアンテナ部材の他の実施の形態を示す図であり、（ａ）は上面図、（ｂ）は（ａ）に示したＡ−Ａ’断面図、（ｃ）は（ａ）に示したフィルム基材２３１ａ，２３１ｂをビス２３３ａ，２３３ｂとともに取り除いた状態における上面図である。
【００５２】
本形態は図７に示すように、樹脂や紙等からなるベース基材２３０上に、所定の間隔を有して形成された第１の導体部である２つの導体部２２０ａ，２２０ｂを有し、また、アンテナ部２２１を構成する第２の導体部である帯状の導体部２２１ａ，２２１ｂがそれぞれ形成されたフィルム基材２３１ａ，２３１ｂが節部であるビス２３３ａ，２３３ｂによってベース基材２３０に取り付けられて構成されている。なお、導体部２２１ａ，２２１ｂは、フィルム基材２３１ａ，２３１ｂのベース基材２３０と対向する面とは反対側の面に形成されている。
【００５３】
ベース基材２３０には、導体部２２０ａ，２２０ｂが形成された領域に、導体部２２０ａ，２２０ｂの内部にて表裏貫通し、ビス２３３ａ，２３３ｂが取り付けられるために十分なだけの大きさを有する穴部２３４ａ，２３４ｂがそれぞれ設けられており、この穴部２３４ａ，２３４ｂにビス２３３ａ，２３３ｂが取り付けられている。
【００５４】
フィルム基材２３１ａ，２３１ｂにはそれぞれ、導体部２２１ａ，２２１ｂが形成された領域に、導体部２２１ａ，２２１ｂの内部にて表裏貫通した穴部２３２ａ，２３２ｂがそれぞれ設けられており、この穴部２３２ａ，２３２ｂに、ベース基材２３０の穴部２３４ａ，２３４ｂに取り付けられたビス２３３ａ，２３３ｂが取り付けられている。
【００５５】
ビス２３３ａ，２３３ｂは、導電性材料からなり、穴部２３２ａ，２３２ｂ，２３４ａ，２３４ｂに取り付けられた場合に、導体部２２０ａ，２２０ｂ，２２１ａ，２２１ｂと接するような形状を有し、ベース基材２３０の裏面側にてナット等（不図示）にて締め付け可能となっている。
【００５６】
このように、ベース基材２３０上にフィルム基材２３１ａ，２３１ｂがビス２３３ａ，２３３ｂによって取り付けられ、その状態にてビス２３３ａ，２３３ｂがそれぞれ導体部２２０ａ，２２０ｂ，２２１ａ，２２１ｂと接することにより、ベース基材２３０上に形成された導体部２２０ａ，２２０ｂと、フィルム基材２３１ａ，２３１ｂ上に形成された導体部２２１ａ，２２１ｂとがそれぞれビス２３３ａ，２３３ｂを介して電気的に接続された状態となっている。また、ビス２３３ａ，２３３ｂを緩めることにより、導体部２２１ａ，２２１ｂはフィルム基材２３１ａ，２３１ｂとともに穴部２３２ａ，２３２ｂに沿って移動可能であり、また、ビス２３３ａ，２３３ｂを中心に回転可能となっている。
【００５７】
以下に、上記のように構成されたアンテナ部材２０１の周波数特性の調整方法について説明する。
【００５８】
図８は、図７に示したアンテナ部材２０１の周波数特性の調整方法の一例を説明するための図である。
【００５９】
上述したように、導体部２２１ａ，２２１ｂがそれぞれ形成されたフィルム基材２３１ａ，２３１ｂは、ビス２３３ａ，２３３ｂによってベース基材２３０に取り付けられ、フィルム基材２３１ａ，２３１ｂに設けられた穴部２３２ａ，２３２ｂに沿って移動可能に構成されているため、ビス２３３ａ，２３３ｂを緩め、導体部２２１ａ，２２１ｂをフィルム基材２３１ａ，２３１ｂとともに穴部２３２ａ，２３２ｂに沿って移動させることにより、アンテナ部２２１の形状を変えることができる。
【００６０】
図８（ａ）に示したものは、アンテナ部２２１を構成する導体部２２１ａ,２２１ｂがそれぞれその端部にてビス２３３ａ，２３３ｂを介して導体部２２０ａ，２２０ｂと接続されている。一方、図８（ｂ）に示したものは、アンテナ部２２１を構成する導体部２２１ａ,２２１ｂのうち、導体部２２１ａはその端部にてビス２３３ａを介して導体部２２０ａと接続され、導体部２２１ｂはその中央部分にてビス２３３ｂを介して導体部２２０ｂと接続されている。
【００６１】
このように、導体部２２０ａ，２２０ｂとからなるアンテナ部２２０の形状が互いに異なる図８（ａ）に示した場合のアンテナ部材２０１と図８（ｂ）に示した場合のアンテナ部材２０１とでは、共振点や放射パターンが異なり周波数特性が互いに異なるものとなる。
【００６２】
また、フィルム基材２３１ａ，２３１ｂをビス２３３ａ，２３３ｂを中心に回転させることにより、２つの導体部２２１ａ，２２１ｂの互いのなす角度を変えることによっても、アンテナ部材２０１の放射パターンが変わり、周波数特性を変えることができる。
【００６３】
このようにして、２つの導体部２２１ａ，２２１ｂからなるアンテナ部２２１の形状を、アンテナ部材２０１の周波数特性が所望のものとなるように設定することにより、このアンテナ部材２０１を非接触型ＩＣタグや情報書込／読出装置に用いた場合に、これらが所望の周波数特性を有して通信可能な状態となる。
【００６４】
なお、本形態においては、ベース基材２３０上に２つの導体部２２０ａ，２２０ｂが所定の間隔を有して形成され、この導体部２２０ａ，２２０ｂのそれぞれにビス２３３ａ，２３３ｂを介して２つの導体部２２１ａ，２２１ｂからなるダイポールアンテナ状のアンテナ部２２１が接続された構成を例に挙げて説明したが、ベース基材２３０上に１つの導体部を形成し、この１つの導体部にビスを介して１つの帯状の導体部をアンテナ部として接続したものも考えられる。
【００６５】
また、上述した２つの実施の形態においては、導体部１２１ａ，１２１ｂ，２２１ａ，２２１ｂがフィルム基材１３１ａ，１３１ｂ，２３１ａ，２３１ｂ上に形成され、このフィルム基材１３１ａ，１３１ｂ，２３１ａ，２３１ｂがビス１３３ａ，１３３ｂ，２３３ａ，２３３ｂによってベース基材１３０，２３０に取り付けられたものを例に挙げて説明したが、導体部１２１ａ，１２１ｂ，２２１ａ，２２１ｂを銅やアルミ等の板材から構成し、この板材に穴部１３２ａ，１３２ｂ，２３２ａ，２３２ｂを設けた構成としてもよい。また、本形態においては、導体部１２１ａ，１２１ｂ，２２１ａ，２２１ｂがフィルム基材１３１ａ，１３１ｂ，２３１ａ，２３１ｂのベース基材１３０，２３０と対向する面とは反対側の面に形成されているが、導体部１２１ａ，１２１ｂ，２２１ａ，２２１ｂがフィルム基材１３１ａ，１３１ｂ，２３１ａ，２３１ｂのベース基材１３０，２３０と対向する面に形成されていてもよい。ただし、導体部１２１ａ，１２１ｂ，２２１ａ，２２１ｂを銅やアルミ等の板材から構成したり、導体部１２１ａ，１２１ｂ，２２１ａ，２２１ｂをフィルム基材１３１ａ，１３１ｂ，２３１ａ，２３１ｂのベース基材１３０，２３０と対向する面に形成したりした場合は、導体部１２１ａ，１２１ｂ，２２１ａ，２２１ｂと導体部１２０ａ，１２０ｂ，２２０ａ，２２０ｂとが、ビス１３３ａ，１３３ｂ，２３３ａ，２３３ｂ以外の領域で接して電気的に短絡しないように、これらの間に絶縁材料を介在させる必要がある。
【００６６】
また、上述した２つの実施の形態においては、２つの導体部１２０ａ，１２０ｂ，２２０ａ，２２０ｂと２つの導体部１２１ａ，１２１ｂ，２２１ａ，２２１ｂとがビス１３３ａ，１３３ｂ，２３３ａ，２３３ｂを介してそれぞれ接続された構成を例に挙げて説明したが、２つの導体部が接続される段数はこのように２段に限らず、多段に接続された構成としてもよい。
【図面の簡単な説明】
【００６７】
【図１】本発明のアンテナ部材の実施の一形態を示す図であり、（ａ）は上面図、（ｂ）は（ａ）に示したＡ−Ａ’断面図、（ｃ）は（ａ）に示したフィルム基材をビスとともに取り除いた状態における上面図である。
【図２】図１に示したアンテナ部材を用いた非接触型ＩＣタグを示す図であり、（ａ）は上面図、（ｂ）は（ａ）に示したＡ−Ａ’断面図である。
【図３】図２に示した非接触型ＩＣタグの周波数特性の調整方法の一例を説明するための図である。
【図４】図２に示した非接触型ＩＣタグの周波数特性の調整方法の一例を説明するための図である。
【図５】図２に示した非接触型ＩＣタグの周波数特性の調整方法の一例を説明するための図である。
【図６】図１に示したアンテナ部材を用いた情報書込／読出装置を示す図である。
【図７】本発明のアンテナ部材の他の実施の形態を示す図であり、（ａ）は上面図、（ｂ）は（ａ）に示したＡ−Ａ’断面図、（ｃ）は（ａ）に示したフィルム基材をビスとともに取り除いた状態における上面図である。
【図８】図７に示したアンテナ部材の周波数特性の調整方法の一例を説明するための図である。
【図９】マイクロ波帯を利用して通信を行うＩＣチップが搭載された非接触型ＩＣタグの一例を示す図である。
【図１０】一般的なボウタイアンテナを有する非接触型ＩＣタグの一例を示す図であり、（ａ）は上面図、（ｂ）は（ａ）に示したＡ−Ａ’断面図である。
【符号の説明】
【００６８】
１００    非接触型ＩＣタグ
１０１，２０１    アンテナ部材
１１０    ＩＣチップ
１２０    メインアンテナ部
１２０ａ，１２０ｂ，１２１ａ，１２１ｂ，２２０ａ，２２０ｂ，２２１ａ，２２１ｂ    導体部
１２１    サブアンテナ部
１３０，２３０    ベース基材
１３１ａ，１３１ｂ，１３２ａ，１３２ｂ    フィルム基材
１３２ａ，１３２ｂ，１３４ａ，１３４ｂ，２３２ａ，２３２ｂ，２３４ａ，２３４ｂ    穴部
１３３ａ，１３３ｂ，２３３ａ，２３３ｂ    ビス
１５０    情報書込／読出装置
１５１    情報書込／読出回路
２２１    アンテナ部
【図１】
0004824649.tif 000002
【図２】
0004824649.tif 000003
【図３】
0004824649.tif 000004
【図４】
0004824649.tif 000005
【図５】
0004824649.tif 000006
【図６】
0004824649.tif 000007
【図７】
0004824649.tif 000008
【図８】
0004824649.tif 000009
【図９】
0004824649.tif 000010
【図１０】
0004824649.tif 000011